(57)【要約】【課題】ＬＥＤ発光を有効に活用するとともに、意匠性に優れた自動車ランプ用インナーレンズを提供する。【解決手段】インナーレンズ１２は、その正面中央でＬＥＤで成る光源ランプ１５からの光を透過させて照射する透過部１３と、透過部１３の周囲で光源ランプ１５からの光を反射させて照射する反射部１４とを有する。透過部１３は、光源ランプ１５からの光に指向性を持たせて照射するレンズ部１６を含み、レンズ部１６以外の領域では漏光を使って面発光させる。反射部１４は透過部１３の周囲に概略リング状に一体に形成され、透過部１３からの漏光を反射して照射する。ボディの後端部にてリヤコンビネーションランプとして配置構成される。【選択図】        図２
2004193026.tif 000002
【特許請求の範囲】
【請求項１】
光源ランプを備えた自動車用ランプに装着されるインナーレンズであって、
その正面中央で光源ランプからの光を透過させて照射する透過部と、この透過部の周囲で前記光源ランプからの光を反射させて照射する反射部とを有することを特徴とする、自動車ランプ用インナーレンズ。
【請求項２】
前記透過部に、前記光源ランプからの光に指向性を持たせて照射するレンズ部が形成されており、このレンズ部以外の領域では漏光を使って面発光させることを特徴とする、請求項１に記載の自動車ランプ用インナーレンズ。
【請求項３】
前記反射部が、前記透過部の周囲に概略リング状に一体に形成されていることを特徴とする、請求項１又は２に記載の自動車ランプ用インナーレンズ。
【請求項４】
前記請求項１〜３の何れかの自動車ランプ用インナーレンズを備えたことを特徴とする、自動車ランプ。
【請求項５】
複数のＬＥＤを適宜の間隔で面状に配設して成る光源ランプと、光源ランプの前方へ配置したインナーレンズとを備え、
上記インナーレンズが、上記光源ランプの正面中央で各ＬＥＤからの出射光を直接透過させて前方へ照射する透過部と、この透過部の周囲に配設し上記各ＬＥＤからの出射光を反射させて前方へ照射するリング状の反射部と、を備えることを特徴とする、自動車ランプ。
【発明の詳細な説明】
【０００１】
【発明の属する技術分野】
本発明は乗用車等の車両における自動車用ランプに装着されるインナーレンズに関するものである。
【０００２】
【従来の技術】
最近、自動車用ランプの光源として、比較的狭い照射角度で点発光して直進する発光素子（以下、ＬＥＤと称する。）を利用したものが実用化されている。たとえば図３に示すように、このＬＥＤを光源とするいわゆる直射・反射タイプのものでは、ＬＥＤ１０１の一個一個に対して、その周囲にそれぞれ反射面１０２を配置し、各ＬＥＤ１０１からの光を、図示のように直接または反射面１０２にて反射して照射するようにしている。
【０００３】
あるいはまた、図４に示すように、いわゆる直射ステップ（インナーレンズ）タイプのものでは、ランプ２００の光源として１個又は複数個のＬＥＤ２０１を用い、その前面にレンズ（ステップ）２０２を配置する。そして、各ＬＥＤ２０１からの光は、図示のようにレンズ２０２を透過して面発光として照射される。なお、このタイプのランプ２００はハイマウントストップランプ等で多く使用されている。
【０００４】
【発明が解決しようとする課題】
図３に示すランプ１００では、光を効率よく前方へ照射するために、１個１個のＬＥＤ１０１毎に反射面１０２が設けられ、それぞれが点発光する。また、図４に示すランプ２００では、ＬＥＤ２０１の前方にレンズ２０２が設けられ、面状の均一な発光をさせるようにしている。これらのランプ１００，２００においては、光源であるＬＥＤ１０１，２０１からの光を単に反射或いは透過させるだけで、ＬＥＤの発光特性を有効利用するのが必ずしも容易でなかった。
【０００５】
以上の点を鑑みて本発明は創作されたもので、光源ランプであるＬＥＤの発光を有効活用するとともに、意匠性に優れた自動車用ランプを提供することを目的とする。
【０００６】
【課題を解決するための手段】
本発明の自動車用ランプは、光源ランプを備えた自動車用ランプに装着されるインナーレンズであって、その正面中央で光源ランプからの光を透過させて照射する透過部と、この透過部の周囲で前記光源ランプからの光を反射させて照射する反射部とを有することを特徴としている。
【０００７】
前記構成において、前記透過部には、光源ランプからの光に指向性を持たせて照射するレンズ部が形成され、このレンズ部以外の領域では漏光を使って面発光させることができる。前記反射部は、好ましくは、前記透過部の周囲に概略リング状に一体に形成される。
【０００８】
本発明によれば、インナーレンズは、その正面中央で光源ランプからの光を透過させて照射する透過部と、この透過部の周囲で光源ランプからの光を反射させて照射する反射部とを有する。透過部では、レンズ部によって光源ランプからの光に指向性を持たせて照射し、レンズ部以外の領域では漏光を使って面発光させる。さらに、反射部では透過部からの漏光を反射して照射させる。このように、透過部と反射部とにより光源ランプからの光を有効活用して効率よく照射することができる。
【０００９】
【発明の実施の形態】
以下、図面に基き、本発明によるインナーレンズの好適な実施の形態を説明する。
図１は、本発明によるインナーレンズを適用した自動車ランプを示している。この実施の形態において、ランプ１０は、自動車ボディの前端に配置されるヘッドランプや補助灯などであっても、また、後端部に配置構成されるリヤコンビネーションランプであってもよく、ランプ本体１１に、後述するインナーレンズ１２が装着される。
【００１０】
インナーレンズ１２は、合成樹脂材料、好適にはアクリル樹脂により成形され、その前面の正面中央において、光源ランプからの光を透過させて照射する透過部１３と、この透過部１３の周囲で光源ランプからの光を反射させて照射する反射部１４と、反射部１４の外周縁から延設した円柱状の側壁１７とにより構成されている。
【００１１】
透過部１３は、図１及び図２に示すように、円盤状の第１の透過部１２ａ（以下、透過部１２ａと称す）と、透過部１２ａの周縁から延設し、略円柱状の第２の透過部１２ｂ（以下、透過部１２ｂと称す）と、により構成されている。
【００１２】
第１の透過部１２ａには、後述する各ＬＥＤ１５に対応してレンズ部１６（図２、Ａ領域）が、例えば図示例のようにほぼ円周状もしくは中央部を基点として放射状に成形されており、ＬＥＤ１５からの光に指向性を持たせて、即ち図２に示されるようにランプ１０の正面方向に光を照射するようになっている。また、このレンズ部１６以外の領域（図２、Ｂ領域）では漏光を使って面発光させることができる。
【００１３】
これらの透過部１２ａと透過部１２ｂとに画成される領域Ｓ内に、光源ランプとしての複数のＬＥＤ１５が配設される。
【００１４】
反射部１４は、第２の透過部１２ｂの基端１２ｂ１から延設し、概略リング状に形成されている（図２、Ｃ領域）。この反射部１４の表面には、各ＬＥＤ１５からの漏光をライト前方に効率的に反射させるために、複数の段部１４ａが形成されており、反射部１４では合成樹脂の基体表面にメッキが施されている。
【００１５】
上記の如く構成されたインナーレンズ１２が、図１に示すように、ランプ本体１１内に装着されて、各ＬＥＤ１５がＯＮして発光すると、透過部１３ではＬＥＤ１５からレンズ部１６に入射した光は、このレンズ部１６によってランプ１０の正面方向へ照射され、この部分で点発光する。また、ＬＥＤ１５からの光のうちレンズ部１６以外の領域では漏光となって面発光する。さらに、反射部１４では透過部１３からの漏光を反射して照射し、リング状に発光する。
【００１６】
このように本発明の実施形態に係るインナーレンズ１２によれば、ＬＥＤ１５の特徴である点発光を有効に使いながら、漏光を効果的に使うことで、奥行感のある独特な発光が得られる。また、インナーレンズ１２において、リング状の反射部１４にメッキ塗装を施すことで、特に非点灯時に見栄えを向上させることができる。
【００１７】
以上、本発明を実施形態とともに説明したが、本発明は実施形態にのみ限定されるものではなく、本発明の範囲内で変更等が可能である。
たとえば、透過部１３におけるレンズ部１６のＬＥＤの個数や配設方法等は図示例の他に任意の個数と間隔に配置でき、種々の構造が採用可能である。
【００１８】
【発明の効果】
以上説明したように本発明によれば、光源ランプであるＬＥＤからの点発光を有効活用して、独特な光を効率よく照射することができることに加え、極めて意匠性に優れている等の利点を有する。
【図面の簡単な説明】
【図１】本発明の実施形態における自動車ランプを示す斜視図である。
【図２】本発明の実施形態におけるインナーレンズの断面構造例を示す図である。
【図３】従来例を示す図である。
【図４】別の従来例を示す図である。
【符号の説明】
１０      ランプ
１１      ランプ本体
１２      インナーレンズ
１２ａ    第１の透過部
１２ｂ    第２の透過部
１２ｂ１  基部
１３      透過部
１４      反射部
１５      ＬＥＤ
１６      レンズ部
１７      側壁
【図１】
2004193026.tif 000003
【図２】
2004193026.tif 000004
【図３】
2004193026.tif 000005
【図４】
2004193026.tif 000006